(57)【要約】【課題】隣接する基地局間の上下リンクの信号干渉を回避できる基地局装置等を提供する。【解決手段】ＨｅＮＢは、上下リンク側の送信帯域の通信品質を測定するＣＱＩ取得部及びＳＩＲ取得部を有する。ＨｅＮＢは、通信品質の測定結果に基づき、リンク側の送信帯域内の帯域間の干渉差を検出すると、干渉差のある送信帯域の内、通信品質が所定条件を満たした帯域に割当を設定する。ＨｅＮＢは、通信品質の測定結果に基づき、下りリンク側の信号干渉を検出すると、下りリンク側の帯域制御を実行し、下りリンク側の帯域制御と連携して、送信帯域の内、上りリンク側の帯域制御を実行する制御部を有する。【選択図】図５
2016005041.tif 000002
【特許請求の範囲】
【請求項１】
上下のリンク側の送信帯域の通信品質を測定する測定部と、
前記測定部の測定結果に基づき、前記リンク側の送信帯域内の通信品質差を検出すると、当該通信品質差のある前記送信帯域の内、前記通信品質が所定条件を満たした帯域に通信割当を設定する第１の制御部と、
前記測定部の測定結果に基づき、前記上下のリンクの内、一方のリンクの信号干渉を検出すると、前記信号干渉を検出した前記一方のリンク側の送信帯域の通信割当を制御し、当該一方のリンク側の送信帯域の割当制御と連携して、前記送信帯域の内、前記一方のリンクに対応した他方のリンク側の送信帯域の通信割当を制御する第２の制御部と、
を有することを特徴とする基地局装置。
【請求項２】
前記第２の制御部は、
前記リンク側の送信帯域内の帯域幅及び送信電力量を調整して、前記送信帯域の通信割当を制御することを特徴とする請求項１に記載の基地局装置。
【請求項３】
前記第２の制御部は、
前記他方のリンク側の送信帯域の通信品質が所定条件を満たす範囲内で、前記他方のリンク側の送信帯域内の帯域幅又は送信電力量を調整して、前記他方のリンク側の送信帯域の通信割当を制御することを特徴とする請求項１又は２に記載の基地局装置。
【請求項４】
隣接する第１の基地局装置と第２の基地局装置との間で上下のリンクの信号干渉を回避する前記リンク側の送信帯域の割当を制御する帯域制御方法であって、
前記第１の基地局装置は、
前記上下のリンク側の送信帯域の通信品質を測定し、
前記測定された前記通信品質に基づき、前記上下のリンクの内、一方のリンクの信号干渉を検出すると、前記信号干渉を検出した前記一方のリンク側の送信帯域の通信割当を制御し、当該一方のリンク側の送信帯域の割当制御と連携して、前記送信帯域の内、前記一方のリンクに対応した他方のリンク側の送信帯域の通信割当を制御し、
前記第２の基地局装置は、
前記上下のリンク側の送信帯域の通信品質を測定し、
前記測定された前記通信品質に基づき、前記他方のリンク側の送信帯域内の通信品質差を検出すると、当該通信品質差のある前記送信帯域の内、前記通信品質が所定条件を満たした帯域に通信割当を設定する
処理を実行することを特徴とする帯域制御方法。
【発明の詳細な説明】
【技術分野】
【０００１】
本発明は、基地局装置及び帯域制御方法に関する。
【背景技術】
【０００２】
近年、携帯電話網等の無線システムでは、通信端末装置（UE:User  Equipment）を無線接続する、小さな無線セルを形成するフェムト基地局（ＨｅＮＢ:Home  eNodeB）を一般家庭やオフィス内等に設置することで、設置エリア内での電話サービスの品質改善やサービスエリア拡大に関する検討が進められている。
【０００３】
図１０は、隣接するＨｅＮＢ間で信号干渉が発生している状況の一例を示す説明図である。図１０に示すフェムト無線システム１００は、複数のＨｅＮＢ１０１（１０１Ａ及び１０１Ｂ）と、複数のＨＵＥ（Home  User  Equipment）１０２（１０２Ａ及び１０２Ｂ）とを有する。各ＨｅＮＢ１０１は、同一の通信周波数を使用する。ＨＵＥ１０２Ａは、ＨｅＮＢ１０１Ａに無線接続し、ＨＵＥ１０２Ｂは、ＨｅＮＢ１０１Ｂに無線接続している。ＨｅＮＢ１０１同士は隣接しているため、隣接するＨｅＮＢ１０１同士で信号干渉が生じている。ＨｅＮＢ１０１と、隣接する他のＨｅＮＢ１０１に無線接続するＨＵＥ１０２との間でも信号干渉が生じている。その結果、ＨｅＮＢ１０１ＡとＨＵＥ１０２Ａとの間や、ＨｅＮＢ１０１ＢとＨＵＥ１０２Ｂとの間での通信速度が低下若しくは、その通信が切断してしまう。
【０００４】
そこで、隣接するＨｅＮＢ１０１間での信号干渉の対策として、隣接するＨｅＮＢ１０１間で使用する送信帯域が被らないように送信帯域の割当を制御する帯域制御処理が知られている。図１１は、帯域制御処理に関わる各ＨｅＮＢ１０１の処理動作の一例を示す説明図である。
【０００５】
図１１に示すＨｅＮＢ１０１Ａは、図１１の（Ａ）に示すように、無線接続中のＨＵＥ１０２Ａとの間のＣＱＩ(Channel  Quality  Indicator)又はＳＩＲ（Signal  Interference  Power  ratio）等の通信品質を取得する。ＣＱＩは、下りリンク側の通信品質を示し、ＳＩＲは、上りリンク側の通信品質を示すものである。また、ＨｅＮＢ１０１Ｂも、無線接続中のＨＵＥ１０２Ｂとの間のＣＱＩ又はＳＩＲ等の通信品質を取得する。例えば、ＨｅＮＢ１０１Ａが、ＣＱＩ値に基づき、現在使用中の下りリンク側の送信帯域のＣＱＩ劣化を検出した場合、下りリンク側の信号干渉を検出する。
【０００６】
ＨｅＮＢ１０１Ａは、下りリンク側の信号干渉を検出すると、図１１の（Ｂ）に示すように、現在使用中の下りリンク側の帯域制御を実行する。ＨｅＮＢ１０１Ａは、下りリンク側の送信帯域を高帯域と低帯域とに分割し、高帯域側の送信帯域の送信電力をＯＦＦ、低帯域側の送信帯域の送信電力をＯＮにする。その結果、隣接するＨｅＮＢ１０１Ｂでは、現在使用中の送信帯域の内、低帯域側の送信帯域のＣＱＩが劣化したままだが、高帯域側の送信帯域のＣＱＩの改善を認識する。
【０００７】
ＨｅＮＢ１０１Ｂは、現在使用中の送信帯域の内、高帯域側の送信帯域のＣＱＩと、低帯域側の送信帯域のＣＱＩとの間の大きな差を干渉差として検出する。ＨｅＮＢ１０１Ｂは、ＣＱＩの干渉差を検出すると、隣接するＨｅＮＢ１０１Ａ側の帯域制御の実行を認識する。そして、ＨｅＮＢ１０１Ｂは、図１１の（Ｃ）に示すように、ＨｅＮＢ１０１Ａ側の下りリンク側の帯域制御の実行を認識すると、現在使用中の下りリンク側の帯域制御を実行する。ＨｅＮＢ１０１Ｂは、現在使用中の下りリンク側の送信帯域を分割し、ＣＱＩ劣化の高帯域側の送信帯域の送信電力をＯＦＦ、ＣＱＩが高レベルの低帯域側の送信帯域の送信電力をＯＮにする。
【０００８】
つまり、ＨｅＮＢ１０１Ａは、高帯域側の送信帯域の送信電力をＯＦＦ、低帯域側の送信帯域の送信電力をＯＮにし、ＨｅＮＢ１０１Ｂは、低帯域側の送信帯域の送信電力をＯＦＦ、高帯域側の送信帯域の送信電力をＯＮにする。その結果、隣接するＨｅＮＢ１０１間で使用する送信帯域が被らないため、下りリンク側の信号干渉を回避できる。
【０００９】
このように、ＨｅＮＢ１０１は、隣接するＨｅＮＢ１０１との間で使用する送信帯域を相互に通知し合う手段がなくても、送信帯域毎の通信品質に基づき、隣接するＨｅＮＢ１０１側の帯域制御の実行を認識し、現在使用中のリンクの帯域制御を自律的に実行する。その結果、上りリンク又は下りリンク側の信号干渉を回避できる。
【先行技術文献】
【特許文献】
【００１０】
【特許文献１】特開２０１０−１０３７５３号公報
【非特許文献】
【００１１】
【非特許文献１】3GPP  TS36.921  v9.0.0
【非特許文献２】3GPP  TS36.922  v9.1.0
【発明の概要】
【発明が解決しようとする課題】
【００１２】
例えば、ＨＵＥ１０２Ａが隣接するＨｅＮＢ１０１Ｂに接近し、ＨＵＥ１０２ＡがＨｅＮＢ１０１Ｂからの下りリンク側の信号干渉を受ける状況下で、各ＨｅＮＢ１０１が下りリンク側の帯域制御を実行する。図１２は、ＨＵＥ１０２Ａが隣接ＨｅＮＢ１０１Ｂの下りリンク側の信号干渉を受ける状況下の一例を示す説明図、図１３は、図１２に示す状況下で下りリンク側の帯域制御を実行する場合の各ＨｅＮＢ１０１の動作の一例を示す説明図である。尚、ＨＵＥ１０２Ａは、ＨｅＮＢ１０１Ａに無線接続しているものとする。
【００１３】
ＨｅＮＢ１０１Ａは、図１３の（Ａ）に示すように、ＨＵＥ１０２ＡからのＣＱＩ報告を取得し、ＣＱＩに基づき、現在使用中の下りリンク側の送信帯域のＣＱＩ劣化を検出し、その検出結果に基づき、下りリンク側の信号干渉を検出する。これに対して、ＨｅＮＢ１０１Ｂは、ＨＵＥ１０２ＢからのＣＱＩ報告を取得し、ＣＱＩに基づき、現在使用中の下りリンク側の送信帯域のＣＱＩが高レベルであるため、下りリンク側が信号干渉の非常に少ない状態と認識する。
【００１４】
ＨｅＮＢ１０１Ａは、下りリンク側の信号干渉を検出すると、図１３の（Ｂ）に示すように、現在使用中の下りリンク側の帯域制御を実行する。ＨｅＮＢ１０１Ａは、現在使用中の下りリンク側の送信帯域を高帯域と低帯域とに分割し、高帯域側の送信帯域の送信電力をＯＦＦ、低帯域側の送信帯域の送信電力をＯＮにする。しかしながら、ＨｅＮＢ１０１Ｂは、使用中の下りリンク側の送信帯域の内、高帯域側の送信帯域のＣＱＩと低帯域側の送信帯域のＣＱＩとの間の干渉差が微小であるため、隣接するＨｅＮＢ１０１Ａ側の送信帯域の分割、すなわち帯域制御の実行を認識できない。
【００１５】
そして、ＨｅＮＢ１０１Ａは、隣接するＨｅＮＢ１０１Ｂ側の下りリンク側の帯域制御が実行されず、下りリンク側の帯域制御の実行が認識できないため、図１３の（Ｃ）に示すように下りリンク側の送信帯域のＣＱＩ劣化を引き続き検出する。その結果、ＨｅＮＢ１０１Ａは、下りリンク側の信号干渉を回避できない状態が継続する。
【００１６】
また、例えば、ＨＵＥ１０２Ａが隣接するＨｅＮＢ１０１Ｂに接近し、ＨｅＮＢ１０１ＢがＨＵＥ１０２Ａから上りリンク側の信号干渉を受ける状況下で、各ＨｅＮＢ１０１が上りリンク側の帯域制御を実行する。図１４は、隣接ＨｅＮＢ１０１Ｂが他のＨＵＥ１０２Ａからの上りリンク側の信号干渉の影響を受ける状況下の一例を示す説明図、図１５は、図１４に示す状況下で上りリンク側の帯域制御を実行する場合の各ＨｅＮＢ１０１の動作の一例を示す説明図である。尚、ＨＵＥ１０２Ａは、ＨｅＮＢ１０１Ａに無線接続しているものとする。
【００１７】
ＨｅＮＢ１０１Ｂは、図１５の（Ａ）に示すように、上りリンク側の送信帯域のＳＩＲを測定し、ＳＩＲに基づき、現在使用中の上りリンク側の送信帯域のＳＩＲ劣化を検出し、その検出結果に基づき、上りリンク側の信号干渉を検出する。これに対して、ＨｅＮＢ１０１Ａは、上りリンク側の送信帯域のＳＩＲを測定し、ＳＩＲに基づき、現在使用中の上りリンク側の送信帯域のＳＩＲが高レベルであるため、上りリンク側の信号干渉が非常に少ない状態と認識する。
【００１８】
ＨｅＮＢ１０１Ｂは、上りリンク側の信号干渉を検出すると、図１５の（Ｂ）に示すように、上りリンク側の帯域制御を実行する。ＨｅＮＢ１０１Ｂは、ＨＵＥ１０２Ｂに対して上りリンク側の現在使用中の送信帯域を高帯域と低帯域とに分割し、低帯域側の送信帯域の送信電力をＯＦＦ、高帯域側の送信帯域の送信電力をＯＮにする。しかしながら、ＨｅＮＢ１０１Ａは、現在使用中の送信帯域の内、低帯域側の送信帯域のＳＩＲと高帯域側の送信帯域のＳＩＲとの間の干渉差が微小であるため、隣接するＨｅＮＢ１０１Ｂ側の送信帯域の分割、すなわち帯域制御の実行を認識できない。
【００１９】
そして、ＨｅＮＢ１０１Ｂは、隣接するＨｅＮＢ１０１Ａ側の上りリンク側の帯域制御が実行されず、上りリンク側の帯域制御の実行が認識できないため、図１５の（Ｃ）に示すように上りリンク側の送信帯域のＳＩＲ劣化を引き続き検出する。その結果、ＨｅＮＢ１０１Ｂは、上りリンク側の信号干渉を回避できない状態が継続する。
【００２０】
つまり、隣接するＨｅＮＢ１０１の内、一方のＨｅＮＢ１０１Ａで信号干渉の影響が問題にならない状況下では、他方のＨｅＮＢ１０１Ｂ側の帯域制御の実行を一方のＨｅＮＢ１０１Ａ側で認識できない。その結果、隣接するＨｅＮＢ１０１同士で帯域制御が実行できないため、隣接するＨｅＮＢ１０１間の信号干渉を回避できない。
【００２１】
一つの側面では、隣接する基地局（ＨｅＮＢ）間の上下リンクの信号干渉を回避できる基地局装置及び帯域制御方法を提供することを目的とする。
【課題を解決するための手段】
【００２２】
一つの態様の基地局装置は、測定部と、第１の制御部と、第２の制御部とを有する。測定部は、上下のリンク側の送信帯域の通信品質を測定する。第１の制御部は、前記測定部の測定結果に基づき、前記リンク側の送信帯域内の通信品質差を検出すると、当該通信品質差のある前記送信帯域の内、前記通信品質が所定条件を満たした帯域に通信割当を設定する。第２の制御部は、前記測定部の測定結果に基づき、前記上下のリンクの内、一方のリンクの信号干渉を検出すると、前記信号干渉を検出した前記一方のリンク側の送信帯域の通信割当を制御する。更に、第２の制御部は、当該一方のリンク側の送信帯域の割当制御と連携して、前記送信帯域の内、前記一方のリンクに対応した他方のリンク側の送信帯域の通信割当を制御する。
【発明の効果】
【００２３】
一つの態様では、隣接する基地局間の上下リンクの信号干渉を回避できる。
【図面の簡単な説明】
【００２４】
【図１】図１は、実施例１のフェムト無線システムの一例を示す説明図である。
【図２】図２は、ＨｅＮＢ内の一例を示すブロック図である。
【図３】図３は、ＨｅＮＢ内の機能構成の一例を示すブロック図である。
【図４】図４は、下りリンク側帯域制御処理に関わるＨｅＮＢ内のスケジューラ部の処理動作の一例を示すフローチャートである。
【図５】図５は、下りリンク側帯域制御処理に関わる各ＨｅＮＢの動作の一例を示す説明図である。
【図６】図６は、上りリンク側帯域制御処理に関わるＨｅＮＢ内のスケジューラ部の処理動作の一例を示すフローチャートである。
【図７】図７は、上りリンク側帯域制御処理に関わる各ＨｅＮＢの動作の一例を示す説明図である。
【図８】図８は、実施例２の送信パターンを決定する方法の一例を示す説明図である。
【図９】図９は、上り連携可否判定処理に関わるＨｅＮＢ内の連携決定部の処理動作の一例を示すフローチャートである。
【図１０】図１０は、隣接するＨｅＮＢ間で信号干渉が発生している状況の一例を示す説明図である。
【図１１】図１１は、帯域制御処理に関わる各ＨｅＮＢの処理動作の一例を示す説明図である。
【図１２】図１２は、ＨＵＥが隣接ＨｅＮＢの下りリンク側の信号干渉を受ける状況下の一例を示す説明図である。
【図１３】図１３は、図１２に示す状況下で下り帯域制御を実行する場合の各ＨｅＮＢの動作の一例を示す説明図である。
【図１４】図１４は、隣接ＨｅＮＢが他のＨＵＥからの上りリンク側の信号干渉の影響を受ける状況下の一例を示す説明図である。
【図１５】図１５は、図１４に示す状況下で上り帯域制御を実行する場合の各ＨｅＮＢの動作の一例を示す説明図である。
【発明を実施するための形態】
【００２５】
以下、図面に基づいて、本願の開示する基地局装置及び帯域制御方法の実施例を詳細に説明する。尚、各実施例により、開示技術が限定されるものではない。また、以下に示す各実施例は、矛盾を起こさない範囲で適宜組み合わせても良い。
【実施例１】
【００２６】
図１は、実施例１のフェムト無線システムの一例を示す説明図である。図１に示すフェムト無線システム１は、複数の基地局装置であるＨｅＮＢ２（２Ａ，２Ｂ）と、複数のＨＵＥ３（３Ａ，３Ｂ）とを有する。ＨｅＮＢ２Ａは、ＨＵＥ３Ａと無線接続し、ＨｅＮＢ２Ｂは、ＨＵＥ３Ｂと無線接続し、同一周波数帯域の送信帯域を使用して無線通信する。ＨｅＮＢ２とＨＵＥ３との間の無線通信は、例えば、３ＧＰＰ(Third  Generation  Partnership  Project)規格のＬＴＥ（Long  Term  Evolution)仕様の上り／下りリンク通信の周波数分割多重方式（ＦＤＤ：Frequency  Division  Duplex）を採用するものとする。
【００２７】
図２は、ＨｅＮＢ２内の一例を示すブロック図である。図２に示すＨｅＮＢ２は、アンテナ１１と、ＲＦ（Radio  Frequency）部１２と、信号処理部１３と、外部信号Ｉ／Ｆ(Interface)１４と、メモリ１５と、ＣＰＵ（Central  Processing  Unit）１６とを有する。アンテナ１１は、無線接続するＨＵＥ３との間で無線信号を送受信するアンテナである。ＲＦ部１２は、無線信号を電気信号に変換する部位である。信号処理部１３は、電気信号に対して、例えば、終端処理や通信プロトコル変換処理等の各種信号処理を施す信号処理部である。外部信号Ｉ／Ｆ１４は、図示せぬ外部ネットワーク装置との間の信号を送受信するインタフェースである。メモリ１５は、例えば、ＳＤＲＡＭ（Synchronous  Dynamic  Random  Access  Memory）等のＲＡＭ（Random  Access  Memory）、ＲＯＭ（Read  Only  Memory）、フラッシュメモリ等に相当し、各種プログラムや各種処理に必要な情報等を記憶する領域である。ＣＰＵ１６は、ＨｅＮＢ２全体の処理動作を管理又は制御するプロセッサである。
【００２８】
図３は、ＨｅＮＢ２内の機能構成の一例を示すブロック図である。尚、説明の便宜上、ＨｅＮＢ２Ａの構成について説明するが、ＨｅＮＢ２Ｂの構成についても同様であり、同一符号を付すことで、その重複する構成及び動作の説明については省略する。
【００２９】
ＨｅＮＢ２Ａは、無線送受信部２１と、呼受付制御部２２と、信号処理制御部２３とを有する。無線送受信部２１は、ＲＦ部１２内での無線信号を送受信する通信機能である。呼受付制御部２２は、ＨＵＥ３との間の無線通信を実行する際のＲＲＣ(Radio  Resource  Control)メッセージの終端処理等を実行する。尚、ＲＲＣメッセージは、例えば、フェムト無線システム１のリソース状態を示すメッセージである。
【００３０】
信号処理制御部２３は、信号処理部１３内のベースバンド信号処理等の各種信号処理を制御する制御機能である。信号処理制御部２３は、ＨｅＮＢ２が無線接続する複数のＨＵＥ３のスケジューリング処理を実行するスケジューラ部２３Ａを有する。スケジューラ部２３Ａは、例えば、ＬＴＥシステムのように複数のＨＵＥ３間でチャネルリソースを共有する場合に、時間軸方向及び周波数軸方向のリソース割り当てを選択するものである。
【００３１】
スケジューラ部２３Ａは、ＣＱＩ取得部３１と、ＳＩＲ取得部３２と、干渉検出部３３と、品質確認部３４と、連携決定部３５と、制御部３６とを有する。ＣＱＩ取得部３１は、無線接続中のＨＵＥ３からの下りリンク側の通信品質を示すＣＱＩの報告を収集し、ＣＱＩを取得する、例えば、測定部である。ＳＩＲ取得部３２は、無線接続中のＨＵＥ３との上りリンク側の通信品質を示すＳＩＲを取得する、例えば、測定部である。干渉検出部３３は、ＣＱＩ及びＳＩＲに基づき、上りリンク側の信号干渉や下りリンク側の信号干渉を検出する。干渉検出部３３は、測定された信号干渉のレベルを示す干渉量に基づき、上りリンク側の信号干渉や下りリンク側の信号干渉を検出する。
【００３２】
品質確認部３４は、ＣＱＩ取得部３１からＣＱＩを収集すると共に、ＳＩＲ取得部３２からＳＩＲを収集する。品質確認部３４は、収集されたＣＱＩに基づき、下りリンク側の通信品質を確認すると共に、収集されたＳＩＲに基づき、上りリンク側の通信品質を確認する。連携決定部３５は、上りリンク側及び下りリンク側の帯域制御を連携して実行できるか否かを決定する。
【００３３】
制御部３６は、上りリンク又は下りリンク側の送信帯域の送信電力を制御する送信電力制御部４１と、上りリンク又は下りリンク側の送信帯域の帯域幅を制御する帯域幅制御部４２とを有する。制御部３６は、例えば、第１の制御部及び第２の制御部に相当する。送信電力制御部４１は、送信帯域の送信電力量を調整する。帯域幅制御部４２は、送信帯域の帯域幅を調整し、例えば、送信帯域の通信割当を高帯域と低帯域とに分割する。尚、制御部３６は、上りリンク側の帯域制御を実行する場合、当該ＨｅＮＢ２に無線接続するＨＵＥ３に対して、上りリンク側の帯域制御の実行を指示するものである。
【００３４】
制御部３６は、帯域制御時に、帯域幅制御部４２を通じて送信帯域を高帯域と低帯域とに分割する。制御部３６は、送信帯域を高帯域と低帯域とに分割した後、送信電力制御部４１を通じて、例えば、高帯域側の送信帯域の送信電力をＯＦＦ、低帯域側の送信帯域の送信電力をＯＮにする。また、制御部３６は、送信電力制御部４１を通じて送信帯域の送信電力をＯＮ／ＯＦＦするだけでなく、その送信電力量も調整可能である。
【００３５】
制御部３６は、下りリンク側の信号干渉を検出すると、下りリンク側の帯域制御を実行し、下りリンク側の信号干渉を回避する。また、制御部３６は、下りリンク側の帯域制御を実行した後も、引き続き、下りリンク側の信号干渉が回避できなかった場合、下りリンクに対応した上りリンク側の帯域制御を実行する。上りリンク側の送信帯域及び下りリンク側の送信帯域は、異なる周波数で隣接した帯域である。この際、制御部３６は、下りリンク側の帯域制御で高帯域側の送信帯域をＯＦＦ、低帯域側の送信帯域をＯＮにした場合、上りリンク側の帯域制御も、高帯域側の送信帯域をＯＦＦ、低帯域側の送信帯域をＯＮにする。つまり、制御部３６は、上りリンク及び下りリンク側の送信帯域の帯域割当を一致させる。そして、制御部３６は、下りリンク側の帯域制御に加えて、上りリンク側の帯域制御も連携して実行する。
【００３６】
制御部３６は、上りリンク側の信号干渉を検出すると、上りリンク側の帯域制御を実行し、上りリンク側の信号干渉を回避する。また、制御部３６は、上りリンク側の帯域制御を実行した後も、引き続き、上りリンク側の信号干渉が回避できなかった場合、上りリンクに対応した下りリンク側の帯域制御を実行する。この際、制御部３６は、上りリンク側の帯域制御で高帯域側の送信帯域をＯＮ、低帯域側の送信帯域をＯＦＦにした場合、下りリンク側の帯域制御も、高帯域側の送信帯域をＯＮ、低帯域側の送信帯域をＯＦＦにする。つまり、制御部３６は、上りリンク及び下りリンク側の送信帯域の帯域割当を一致させる。そして、制御部３６は、上りリンク側の帯域制御に加えて、下りリンク側の帯域制御も連携して実行する。
【００３７】
連携決定部３５は、上りリンク及び下りリンク側の帯域制御を連携して実行できるか否かを決定する連携可否判定処理を実行する。連携決定部３５は、例えば、下りリンクに対応する上りリンク側に送信データである送信パターンがあるか否かを判定し、送信パターンがある場合に、帯域制御の連携が可能と判断する。その結果、制御部３６は、上りリンク及び下りリンク側の帯域制御を連携して帯域制御を実行する。連携決定部３５は、上りリンク側に送信パターンがない場合、帯域制御の連携が不可と判断する。
【００３８】
次に実施例１のフェムト無線システム１の動作について説明する。図４は、下りリンク側帯域制御処理に関わるＨｅＮＢ２内のスケジューラ部２３Ａの処理動作の一例を示すフローチャートである。図４に示す下りリンク側帯域制御処理は、下りリンク側の信号干渉を検出した場合、下りリンク側の帯域制御に連携して上りリンク側の帯域制御を実行する処理である。
【００３９】
図４においてスケジューラ部２３Ａは、上りリンク側の通信品質及び下りリンク側の通信品質を取得する（ステップＳ１１）。尚、ＣＱＩ取得部３１は、無線接続中のＨＵＥ３からのＣＱＩ報告に基づき、下りリンク側の通信品質を示すＣＱＩを取得する。更に、ＳＩＲ取得部３２は、上りリンク側の通信品質を示すＳＩＲを取得する。
【００４０】
スケジューラ部２３Ａ内の干渉検出部３３は、ＣＱＩ取得部３１で取得されたＣＱＩに基づき、隣接ＨｅＮＢ２との下りリンク側の信号干渉が大であるか否かを判定する（ステップＳ１２）。尚、信号干渉が大であるか否かを判定する処理は、信号干渉が通信に与える影響が許容できる閾値を超えたか否かで判定し、許容できる閾値を超えた場合、信号干渉が大と判定するものである。スケジューラ部２３Ａ内の制御部３６は、下りリンク側の信号干渉が大の場合（ステップＳ１２肯定）、下りリンク側の帯域制御が実行中であるか否かを判定する（ステップＳ１３）。
【００４１】
制御部３６は、下りリンク側の帯域制御が実行中でない場合（ステップＳ１３否定）、下りリンク側の帯域制御の実行を開始し（ステップＳ１４）、通信品質を測定すべく、ステップＳ１１に移行する。つまり、制御部３６は、下りリンク側の送信帯域を高帯域と低帯域とに分割し、例えば、高帯域側の送信帯域の送信電力をＯＦＦ、低帯域側の送信帯域の送信電力をＯＮにすべく、下りリンク側の帯域制御を実行する。
【００４２】
制御部３６は、下りリンク側の帯域制御が実行中の場合（ステップＳ１３肯定）、上りリンク側の帯域制御が実行中であるか否かを判定する（ステップＳ１５）。連携決定部３５は、上りリンク側の帯域制御が実行中でない場合（ステップＳ１５否定）、後述する連携可否判定処理の処理結果に基づき、上りリンク側の帯域制御との連携が可能であるか否かを判定する（ステップＳ１６）。
【００４３】
連携決定部３５は、上りリンク側の帯域制御との連携が可能な場合（ステップＳ１６肯定）、上りリンク側の帯域制御の実行を開始し（ステップＳ１７）、通信品質を測定すべく、ステップＳ１１に移行する。つまり、制御部３６は、上りリンク側の送信帯域を高帯域と低帯域とに分割する。更に、制御部３６は、下りリンク側の帯域制御の帯域割当と一致するように、上りリンク側の高帯域側の送信帯域の送信電力をＯＦＦ、低帯域側の送信帯域の送信電力をＯＮにすべく、上りリンク側の帯域制御を実行する。
【００４４】
制御部３６は、上りリンク側の帯域制御が実行中の場合（ステップＳ１５肯定）、通信品質を測定すべく、ステップＳ１１に移行する。連携決定部３５は、上りリンク側の帯域制御との連携が可能でない場合（ステップＳ１６否定）、通信品質を測定すべく、ステップＳ１１に移行する。
【００４５】
品質確認部３４は、下りリンク側の信号干渉が大でない場合（ステップＳ１２否定）、帯域制御実行前の通信品質と現在の通信品質との間に偏りがあるか否かを判定する（ステップＳ１８）。連携決定部３５は、帯域制御実行前の通信品質と現在の通信品質との間に偏りがある場合（ステップＳ１８肯定）、現在実行中の帯域制御を継続したまま、通信品質を測定すべく、ステップＳ１１に移行する。尚、現在実行中の帯域制御は、下りリンク側の帯域制御若しくは、下りリンク側及び上りリンク側の帯域制御である。
【００４６】
連携決定部３５は、帯域制御実行前の通信品質と現在の通信品質との間に偏りがない場合（ステップＳ１８否定）、何等かの理由で下りリンク側の信号干渉が小さくなったと判断する。そして、連携決定部３５は、上りリンク側の帯域制御と連携中であるか否かを判定する（ステップＳ１９）。制御部３６は、上りリンク側の帯域制御と連携中の場合（ステップＳ１９肯定）、上りリンク側の帯域制御との連携を解除する（ステップＳ２０）。そして、制御部３６は、下りリンク側の帯域制御前（帯域分割前）の全送信帯域の送信電力をＯＮにし（ステップＳ２１）、通信品質を測定すべく、ステップＳ１１に移行する。また、制御部３６は、上りリンク側の帯域制御と連携中でない場合（ステップＳ１９否定）、下りリンク側の全送信帯域の送信電力をＯＮにすべく、ステップＳ２１に移行する。
【００４７】
下りリンク側帯域制御処理を実行するＨｅＮＢ２Ａは、下りリンク側の信号干渉を検出すると、下りリンク側の帯域制御を実行し、隣接するＨｅＮＢ２Ｂ側でＨｅＮＢ２Ａ側の帯域制御の実行を認識させる。その結果、隣接するＨｅＮＢ２Ｂも、下りリンク側の帯域制御を実行することで、隣接するＨｅＮＢ２間の下りリンク側の信号干渉を回避できる。
【００４８】
ＨｅＮＢ２Ａは、下りリンク側の帯域制御を実行した後も、下りリンク側の信号干渉を引き続き検出した場合、下りリンク側の帯域制御と連携し、上りリンク側の帯域制御を実行し、隣接するＨｅＮＢ２Ｂ側にＨｅＮＢ２Ａ側の帯域制御の実行を認識させ易くする。更に、隣接するＨｅＮＢ２Ｂも、上りリンク側の帯域制御及び下りリンク側の帯域制御を連携して実行することで、隣接するＨｅＮＢ２間の下りリンク側の信号干渉を回避できる。
【００４９】
図５は、下りリンク側帯域制御処理に関わる各ＨｅＮＢ２の動作の一例を示す説明図である。図５の（Ａ）に示すＨｅＮＢ２Ａは、ＨＵＥ３ＡからのＣＱＩ報告を取得し、ＣＱＩに基づき、現在使用中の下りリンク側の送信帯域のＣＱＩ劣化を検出し、その検出結果に基づき、下りリンク側の信号干渉を検出する。これに対して、ＨｅＮＢ２Ｂは、ＨＵＥ３ＢからのＣＱＩ報告を取得し、ＣＱＩに基づき、現在使用中の下りリンク側の送信帯域のＣＱＩが高レベルであるため、下りリンク側の信号干渉が非常に少ない状態と認識する。
【００５０】
ＨｅＮＢ２Ａは、下りリンク側の信号干渉を検出すると、図５の（Ｂ）に示すように、現在使用中の送信帯域を高帯域と低帯域とに分割し、高帯域側の送信帯域の送信電力をＯＦＦ、低帯域側の送信帯域の送信電力をＯＮにする下りリンク側の帯域制御を実行する。しかしながら、ＨｅＮＢ２Ｂは、現在使用中の送信帯域の内、高帯域側の送信帯域のＣＱＩと低帯域側の送信帯域のＣＱＩとの間の干渉差が微小であるため、隣接するＨｅＮＢ２Ａ側の送信帯域の分割、すなわち下りリンク側の帯域制御の実行を認識できない。尚、干渉差は、例えば、通信品質差に相当する。
【００５１】
ＨｅＮＢ２Ａは、下りリンク側の帯域制御の実行後も、図５の（Ｃ）に示すように、引き続き、下りリンク側の信号干渉を検出することになる。そして、ＨｅＮＢ２Ａは、図５の（Ｄ）に示すように、下りリンク側の信号干渉を引き続き検出した場合、下りリンク側の帯域制御と連携して、上りリンク側の帯域制御を実行する。ＨｅＮＢ２Ａは、上りリンク側の送信帯域を高帯域と低帯域とに分割し、高帯域側の送信帯域の送信電力をＯＦＦ、低帯域側の送信帯域の送信電力をＯＮにすべく、上りリンク側の帯域制御を実行する。
【００５２】
ＨｅＮＢ２Ｂは、図５の（Ｄ）に示すように、現在使用中の上りリンク側の送信帯域の内、高帯域側の送信帯域のＳＩＲと、低帯域側の送信帯域のＳＩＲとの間の大きな差を干渉差として検出する。ＨｅＮＢ２Ｂは、ＳＩＲの干渉差を検出すると、隣接するＨｅＮＢ２Ａ側の上りリンク側の帯域制御の実行を認識する。そして、ＨｅＮＢ２Ｂは、図５の（Ｅ）に示すように、ＨｅＮＢ２Ａ側の上りリンク側の帯域制御の実行を認識すると、現在使用中の上りリンク側の帯域制御を実行する。ＨｅＮＢ２Ｂは、上りリンク側の送信帯域を分割する。ＨｅＮＢ２Ｂは、現在使用中の上りリンク側の送信帯域の内、ＳＩＲ劣化の低帯域側の送信帯域の送信電力をＯＦＦ、ＳＩＲが高レベルの高帯域側の送信帯域の送信電力をＯＮにする上りリンク側の帯域制御を実行する。
【００５３】
更に、ＨｅＮＢ２Ｂは、図５の（Ｆ）に示すように、下りリンク側の帯域制御を実行する。ＨｅＮＢ２Ｂは、下りリンク側の送信帯域を分割し、上りリンク側の送信帯域の帯域制御と連携し、下りリンク側の送信帯域の内、低帯域側の送信帯域の送信電力をＯＦＦ、高帯域側の送信帯域の送信電力をＯＮにする。その結果、ＨｅＮＢ２Ａは、下りリンク側の低帯域側のＣＱＩと、高帯域側のＣＱＩとの間の干渉差に基づき、隣接するＨｅＮＢ２Ｂ側の下りリンク側の帯域制御の実行を認識する。そして、ＨｅＮＢ２Ａは、下りリンク側の高帯域側の送信帯域の送信電力をＯＦＦ、低帯域側の送信帯域の送信電力をＯＮにした状態で下りリンク側の信号干渉を回避できる。
【００５４】
つまり、ＨｅＮＢ２Ａは、上下リンクの高帯域側の送信帯域の送信電力をＯＦＦ、低帯域側の送信帯域の送信電力をＯＮにし、ＨｅＮＢ２Ｂは、上下リンクの低帯域側の送信帯域の送信電力をＯＦＦ、高帯域側の送信帯域の送信電力をＯＮにする。その結果、隣接するＨｅＮＢ２間で使用する上下リンクの送信帯域が被らないため、下りリンク側の信号干渉は勿論のこと、上りリンク側の信号干渉をも回避できる。
【００５５】
図６は、上りリンク側帯域制御処理に関わるＨｅＮＢ２内のスケジューラ部２３Ａの処理動作の一例を示すフローチャートである。図６に示す上りリンク側帯域制御処理は、上りリンク側の信号干渉を検出した場合、上りリンク側の帯域制御に連携して下りリンク側の帯域制御を実行する処理である。
【００５６】
図６においてスケジューラ部２３Ａは、上りリンク側の通信品質及び下りリンク側の通信品質を取得する（ステップＳ５１）。干渉検出部３３は、ＳＩＲ取得部３２で取得されたＳＩＲに基づき、隣接ＨｅＮＢ２との上りリンク側の信号干渉が大であるか否かを判定する（ステップＳ５２）。制御部３６は、上りリンク側の信号干渉が大の場合（ステップＳ５２肯定）、上りリンク側の帯域制御が実行中であるか否かを判定する（ステップＳ５３）。
【００５７】
制御部３６は、上りリンク側の帯域制御が実行中でない場合（ステップＳ５３否定）、上りリンク側の帯域制御の実行を開始し（ステップＳ５４）、通信品質を測定すべく、ステップＳ５１に移行する。つまり、制御部３６は、例えば、上りリンク側の送信帯域を高帯域と低帯域とに分割し、高帯域側の送信帯域の送信電力をＯＮ、低帯域側の送信帯域の送信電力をＯＦＦにすべく、上りリンク側の帯域制御を実行する。
【００５８】
制御部３６は、上りリンク側の帯域制御が実行中の場合（ステップＳ５３肯定）、下りリンク側の帯域制御が実行中であるか否かを判定する（ステップＳ５５）。連携決定部３５は、下りリンク側の帯域制御が実行中でない場合（ステップＳ５５否定）、連携可否判定処理の処理結果に基づき、下りリンク側の帯域制御との連携が可能であるか否かを判定する（ステップＳ５６）。
【００５９】
連携決定部３５は、下りリンク側の帯域制御との連携が可能な場合（ステップＳ５６肯定）、下りリンク側の帯域制御の実行を開始し（ステップＳ５７）、通信品質を測定すべく、ステップＳ５１に移行する。つまり、制御部３６は、下りリンク側の送信帯域を高帯域と低帯域とに分割する。制御部３６は、上りリンク側の帯域制御の帯域割当と一致するように、上りリンク側の高帯域側の送信帯域の送信電力をＯＮ、低帯域側の送信帯域の送信電力をＯＦＦにすべく、下りリンク側の帯域制御を実行する。
【００６０】
制御部３６は、下りリンク側の帯域制御が実行中の場合（ステップＳ５５肯定）、通信品質を測定すべく、ステップＳ５１に移行する。連携決定部３５は、下りリンク側の帯域制御との連携が可能でない場合（ステップＳ５６否定）、通信品質を測定すべく、ステップＳ５１に移行する。
【００６１】
品質確認部３４は、上りリンク側の信号干渉が大でない場合（ステップＳ５２否定）、帯域制御実行前の通信品質と現在の通信品質との間に偏りがあるか否かを判定する（ステップＳ５８）。連携決定部３５は、帯域制御実行前の通信品質と現在の通信品質との間に偏りがある場合（ステップＳ５８肯定）、現在実行中の帯域制御を実行したまま、通信品質を測定すべく、ステップＳ５１に移行する。尚、現在実行中の帯域制御は、上りリンク側の帯域制御若しくは、上りリンク側及び下りリンク側の帯域制御である。
【００６２】
連携決定部３５は、帯域制御実行前の通信品質と現在の通信品質との間に偏りがない場合（ステップＳ５８否定）、何等かの理由で上りリンク側の信号干渉が小さくなったと判断する。そして、連携決定部３５は、下りリンク側の帯域制御と連携中であるか否かを判定する（ステップＳ５９）。制御部３６は、下りリンク側の帯域制御と連携中の場合（ステップＳ５９肯定）、下りリンク側の帯域制御との連携を解除する（ステップＳ６０）。制御部３６は、上りリンク側の帯域制御前（帯域分割前）の全送信帯域の送信電力をＯＮにし（ステップＳ６１）、通信品質を測定すべく、ステップＳ５１に移行する。また、制御部３６は、下りリンク側の帯域制御と連携中でない場合（ステップＳ５９否定）、上りリンク側の全送信帯域の送信電力をＯＮにすべく、ステップＳ６１に移行する。
【００６３】
上りリンク側帯域制御処理を実行するＨｅＮＢ２Ｂは、上りリンク側の信号干渉を検出すると、上りリンク側の帯域制御を実行し、隣接するＨｅＮＢ２Ａ側でＨｅＮＢ２Ｂ側の帯域制御の実行を認識させる。その結果、隣接するＨｅＮＢ２Ａも、上りリンク側の帯域制御を実行することで、隣接するＨｅＮＢ２間の上りリンク側の信号干渉を回避できる。
【００６４】
ＨｅＮＢ２Ｂは、上りリンク側の帯域制御を実行した後も、上りリンク側の信号干渉を引き続き検出する場合、上りリンク側の帯域制御と連携し、下りリンク側の帯域制御を実行し、隣接するＨｅＮＢ２Ａ側にＨｅＮＢ２Ｂ側の帯域制御の実行を認識させ易くする。更に、隣接するＨｅＮＢ２Ａも、下りリンク側の帯域制御及び上りリンク側の帯域制御を連携して実行することで、隣接するＨｅＮＢ２間の上りリンク側の信号干渉を回避できる。
【００６５】
図７は、上りリンク側帯域制御処理に関わる各ＨｅＮＢ２の動作の一例を示す説明図である。図７の（Ａ）に示すＨｅＮＢ２Ｂは、ＳＩＲの測定結果を取得し、ＳＩＲに基づき、現在使用中の上りリンク側の送信帯域のＳＩＲ劣化を検出し、その検出結果に基づき、上りリンク側の信号干渉を検出する。これに対して、ＨｅＮＢ２Ａは、ＳＩＲの測定結果を取得し、ＳＩＲに基づき、現在使用中の上りリンク側の送信帯域のＳＩＲが高レベルであるため、上りリンク側の信号干渉が非常に少ない状態と認識する。
【００６６】
ＨｅＮＢ２Ｂは、上りリンク側の信号干渉を検出すると、図７の（Ｂ）に示すように、現在使用中の送信帯域を高帯域と低帯域とに分割し、低帯域側の送信帯域の送信電力をＯＦＦ、高帯域側の送信帯域の送信電力をＯＮにする上りリンク側の帯域制御を実行する。しかしながら、ＨｅＮＢ２Ａは、現在使用中の送信帯域の内、低帯域側の送信帯域のＳＩＲと高帯域側の送信帯域のＳＩＲとの間の干渉差が微小であるため、隣接するＨｅＮＢ２Ｂ側の送信帯域の分割、すなわち上りリンク側の帯域制御の実行を認識できない。
【００６７】
ＨｅＮＢ２Ｂは、上りリンク側の帯域制御の実行後も、図７の（Ｃ）に示すように、引き続き、上りリンク側の信号干渉を検出することになる。そして、ＨｅＮＢ２Ｂは、図７の（Ｄ）に示すように、上りリンク側の信号干渉を引き続き検出した場合、上りリンク側の帯域制御と連携して、下りリンク側の帯域制御を実行する。ＨｅＮＢ２Ｂは、下りリンク側の送信帯域を高帯域と低帯域とに分割し、低帯域側の送信帯域の送信電力をＯＦＦ、高帯域側の送信帯域の送信電力をＯＮにすべく、下りリンク側の帯域制御を実行する。
【００６８】
ＨｅＮＢ２Ａは、図７の（Ｄ）に示すように、現在使用中の下りリンク側の送信帯域の内、低帯域側の送信帯域のＳＩＲと、高帯域側の送信帯域のＳＩＲとの間の大きな差を干渉差として検出する。ＨｅＮＢ２Ａは、ＳＩＲの干渉差を検出すると、隣接するＨｅＮＢ２Ｂ側の下りリンク側の帯域制御の実行を認識する。そして、ＨｅＮＢ２Ａは、図７の（Ｅ）に示すように、ＨｅＮＢ２Ｂ側の下りリンク側の帯域制御の実行を認識すると、現在使用中の下りリンク側の帯域制御を実行する。ＨｅＮＢ２Ａは、下りリンク側の送信帯域を分割する。ＨｅＮＢ２Ａは、現在使用中の下りリンク側の送信帯域の内、ＣＱＩ劣化の高帯域側の送信帯域の送信電力をＯＦＦ、ＣＱＩが高レベルの低帯域側の送信帯域の送信電力をＯＮにする下りリンク側の帯域制御を実行する。
【００６９】
更に、ＨｅＮＢ２Ａは、図７の（Ｆ）に示すように、上りリンク側の帯域制御を実行する。ＨｅＮＢ２Ａは、上りリンク側の送信帯域を分割し、下りリンク側の帯域制御と連携し、上りリンク側の送信帯域の内、高帯域側の送信帯域の送信電力をＯＦＦ、低帯域側の送信帯域の送信電力をＯＮにする。その結果、ＨｅＮＢ２Ｂは、上りリンク側の高帯域側のＳＩＲと、低帯域側のＳＩＲとの間の干渉差に基づき、隣接するＨｅＮＢ２Ａ側の上りリンク側の帯域制御の実行を認識する。そして、ＨｅＮＢ２Ｂは、上りリンク側の低帯域側の送信帯域の送信電力をＯＦＦ、高帯域側の送信帯域の送信電力をＯＮにした状態で上りリンク側の信号干渉を回避できる。
【００７０】
つまり、ＨｅＮＢ２Ｂは、上下リンクの低帯域側の送信帯域の送信電力をＯＦＦ、高帯域側の送信帯域の送信電力をＯＮにし、ＨｅＮＢ２Ａは、上下リンクの高帯域側の送信帯域の送信電力をＯＦＦ、低帯域側の送信帯域の送信電力をＯＮにする。その結果、隣接するＨｅＮＢ２間で使用する上下リンクの送信帯域が被らないため、上りリンク側の信号干渉は勿論のこと、下りリンク側の信号干渉をも回避できる。
【００７１】
尚、上記実施例１のＨｅＮＢ２Ａは、上りリンク側の帯域制御を実行する場合、上りリンク側の送信帯域を高帯域と低帯域とに分割し、高帯域側の送信帯域の送信電力をＯＦＦ、低帯域側の送信帯域の送信電力をＯＮにした。しかしながら、これらに限定されるものではなく、送信帯域分割後、低帯域側の送信帯域の送信電力をＯＦＦ、高帯域側の送信帯域の送信電力をＯＮにしても良い。
【００７２】
また、上記実施例１のＨｅＮＢ２Ａは、下りリンク側の帯域制御を実行する場合、下りリンク側の送信帯域を高帯域と低帯域とに分割し、高帯域側の送信帯域の送信電力をＯＦＦ、低帯域側の送信帯域の送信電力をＯＮにした。しかしながら、これらに限定されるものではなく、送信帯域分割後、低帯域側の送信帯域の送信電力をＯＦＦ、高帯域側の送信帯域の送信電力をＯＮにしても良い。
【００７３】
尚、図５の（Ｄ）に示すＨｅＮＢ２Ａは、上りリンク側の送信帯域を分割して高帯域側の送信帯域の送信電力をＯＦＦ、低帯域側の送信帯域の送信電力をＯＮにした。しかしながら、上りリンク側の低帯域側の送信帯域の送信電力をＯＮにするだけでなく、その送信電力量や帯域幅を調整するようにしても良く。その結果、ＨｅＮＢ２Ｂ側では、ＳＩＲの干渉差を認識させ易くできる。そこで、送信パターンの送信電力量や帯域幅を調整する場合の実施の形態につき、実施例２として以下に説明する。
【実施例２】
【００７４】
図８は、実施例２の送信パターンを決定する方法の一例を示す説明図である。尚、説明の便宜上、実施例１のフェムト無線システム１と同一の構成には同一符号を付すことで、その重複する構成及び動作の説明については省略する。
【００７５】
制御部３６で実行する上りリンクの送信パターンの決定方法としては、ＨＵＥ３Ａの上り送信に伴う上り与干渉で、ＨｅＮＢ２ＢがＨｅＮＢ２Ａ側の上りリンク側の帯域制御の実行を認識できるように、ＨｅＮＢ２に付与する目標干渉量を考慮する。例えば、ＨＵＥ３Ａの上り送信電力量は、ＭＩＮ(ＨＵＥの最大電力量,  ＨＵＥ３Ａ側の上り送信電力量)≧（ＨｅＮＢ２Ｂに与える上り目標干渉値）＋（ＨｅＮＢ２ＢとＨＵＥ３Ａとの間のパスロス量）の数式で決定できる。
【００７６】
尚、上り目標干渉値は、例えば、上位ネットワーク装置等から指定されるＨｅＮＢ２間で共通の運用パラメータや、各ＨｅＮＢ２がＨＵＥ３との間の上り通信に許容する上り干渉量の許容値を用いて推定するものとする。更に、ＨＵＥ３Ａの送信電力量のアップだけでは上記数式の条件を満たせない場合、干渉量の不足分に応じてＨＵＥ３Ａの上り送信帯域の帯域幅を増やすことで調整しても良い。
【００７７】
ＨｅＮＢ２Ａ側で帯域制御を実行する際の送信パターンを調整することで、ＨｅＮＢ２Ｂ側に上りリンク側の送信帯域内の送信パターンの干渉差を認識し易くする。その結果、ＨｅＮＢ２Ｂは、ＨｅＮＢ２Ａ側の帯域制御の実行を認識し易くできる。
【００７８】
図４に示す下りリンク側帯域制御処理において、ステップＳ１５にて上りリンク側の帯域制御が実行中、又は、ステップＳ１６にて上りリンク側の帯域制御との連携が不可の場合、実施例２の送信パターン決定方法を用いて、送信パターンを再調整しても良い。
【００７９】
図６に示す上りリンク側帯域制御処理において、ステップＳ５５にて下りリンク側の帯域制御が実行中、又は、ステップＳ５６にて下りリンク側の帯域制御との連携が不可の場合、実施例２の送信パターン決定方法を用いて、送信パターンを再調整しても良い。
【００８０】
上記実施例１では、前述した通り、上下リンクの帯域制御を連携する際の連携可否をチェックする方法として上りリンク側の送信パターンがあるか否かで判定したが、送信パターンがない場合、上下リンクの帯域制御の連携が不可と判定した。しかしながら、送信パターンがない場合でも、送信パターンの代わりにダミー信号を代用しても良く、この場合の実施の形態につき、実施例３として以下に説明する。
【実施例３】
【００８１】
図９は、上り連携可否判定処理に関わるＨｅＮＢ２内の連携決定部３５の処理動作の一例を示すフローチャートである。図９に示す上り連携可否判定処理は、下りリンク側の帯域制御処理を実行する際に、上りリンク側の帯域制御と連携できるか否かを判定する処理である。
【００８２】
図９において連携決定部３５は、上りリンク側の送信パターンがあるか否かを判定する（ステップＳ３１）。連携決定部３５は、上りリンク側の送信パターンがない場合（ステップＳ３１否定）、送信パターンの代わりに、上りリンク側のダミー信号の送信が可能であるか否かを判定する（ステップＳ３２）。尚、ステップＳ３２の処理は、上りリンク側の帯域制御を実行する際の送信パターンの空きリソースがあるか否かを判定するものである。
【００８３】
連携決定部３５は、上りリンク側のダミー信号の送信が可能な場合（ステップＳ３２肯定）、上りリンク側の通信品質への影響があるか否かを判定する（ステップＳ３３）。尚、ステップＳ３３の処理は、下りリンク側の帯域制御に上りリンク側の帯域制御を連携して実行した場合に上りリンク側の通信品質が目標品質を満足できるか否かを確認する処理である。連携決定部３５は、上りリンク側の通信品質への影響がある場合（ステップＳ３３肯定）、連携条件の緩和余地があるか否かを判定する（ステップＳ３４）。尚、連携条件の緩和余地とは、通信品質が目標品質を満たす範囲内で送信パターンの調整が可能な余地である。制御部３６は、連携条件の緩和余地がある場合（ステップＳ３４肯定）、上りリンク側の送信パターンを調整する（ステップＳ３５）。尚、送信パターンの調整には、上りリンク側の通信品質が目標品質を満足できる範囲内で、上りリンク側の送信帯域の送信電力アップや帯域幅を調整する等の処理である。更に、送信パターンの調整には、上りリンク側の帯域制御との連携を実施する期間を制限して連携に伴う影響を軽減する調整を含めるようにしても良い。
【００８４】
そして、連携決定部３５は、上りリンク側の干渉制御への影響があるか否かを判定する（ステップＳ３６）。尚、下りリンク側の帯域制御に上りリンク側の帯域制御を連携して実行する際、上りリンク側でも隣接ＨｅＮＢ２との間で上りリンク側の信号干渉が存在する場合がある。つまり、干渉制御への影響とは、上りリンク側の信号干渉を回避する上で上りリンク側の送信帯域に対応する下りリンク側の送信帯域がない場合などの上りリンク側の干渉制御への影響である。
【００８５】
連携決定部３５は、上りリンク側の干渉制御への影響がある場合（ステップＳ３６肯定）、上りリンク側の干渉制御の調整余地があるか否かを判定する（ステップＳ３７）。尚、干渉制御の調整余地とは、上りリンク側の干渉制御を実施する優先度を下げる余地である。連携決定部３５は、上りリンク側の干渉制御の調整余地がある場合（ステップＳ３７肯定）、上りリンク側の送信パターンを調整し（ステップＳ３８）、上下リンクの帯域制御の連携が可能と決定し（ステップＳ３９）、図９に示す処理動作を終了する。
【００８６】
連携決定部３５は、上りリンク側のダミー信号の送信が可能でないと判定された場合（ステップＳ３２否定）、上下リンクの帯域制御の連携が不可と判定し（ステップＳ４０）、図９に示す処理動作を終了する。
【００８７】
連携決定部３５は、連携条件の緩和余地がない場合（ステップＳ３４否定）、又は、上りリンク側の干渉制御の調整余地がない場合（ステップＳ３７否定）、上下リンクの帯域制御の連携が不可と判定すべく、ステップＳ４０に移行する。
【００８８】
連携決定部３５は、上りリンク側の送信パターンがある場合（ステップＳ３１肯定）、上りリンク側の通信品質への影響があるか否かを判定すべく、ステップＳ３３に移行する。また、連携決定部３５は、上りリンク側の通信品質への影響がない場合（ステップＳ３３否定）、上りリンク側の干渉制御への影響があるか否かを判定すべく、ステップＳ３６に移行する。
【００８９】
連携決定部３５は、上りリンク側の干渉制御への影響がない場合（ステップＳ３６否定）、上下リンク側の帯域制御の連携が可能と判定すべく、ステップＳ３９に移行する。
【００９０】
図９に示す上り連携可否判定処理を実行する連携決定部３５は、下りリンク側の帯域制御の実行中に、上りリンク側の送信パターンがある場合でも、上りリンク側の通信品質の影響がなく、上りリンク側の干渉制御への影響がない場合、帯域制御の連携と決定できる。しかも、通信品質を確保しながら、帯域制御の連携を実現できる。
【００９１】
連携決定部３５は、上りリンク側の送信パターンがない場合でも、ダミー信号があり、上りリンク側の通信品質への影響がなく、上りリンク側の干渉制御への影響がない場合、通信品質を確保しながら、帯域制御の連携可と決定できる。
【００９２】
連携決定部３５は、上りリンク側の通信品質の影響がある場合でも、連携条件の緩和余地がある場合、上りリンク側の送信パターンを調整し、上りリンク側の干渉制御への影響がない場合、通信品質を確保しながら、帯域制御の連携可と決定できる。
【００９３】
連携決定部３５は、上りリンク側の干渉制御への影響がある場合でも、上りリンク側の干渉制御の調整余地がある場合、上りリンク側の送信パターンを調整し、通信品質を確保しながら、帯域制御の連携可と決定できる。
【００９４】
連携決定部３５は、上りリンク側のダミー信号がない場合、連携条件の緩和余地がない場合、若しくは、上りリンク側の干渉制御の調整余地がない場合、帯域制御の連携不可と決定できる。
【００９５】
尚、図９に示す上り連携可否判定処理は、下りリンク側の帯域制御実行時に上りリンク側の帯域制御を連携して実行できるか否かを判定する際に使用する処理である。しかしながら、上りリンク側帯域制御実行時に下りリンク側の帯域制御を連携して実行できるか否かを判定する際に使用する処理として、上り連携可否判定処理を実行しても良い。この場合、図９に示す上り連携可否判定処理内の各ステップ内の「上りリンク」を「下りリンク」に置き換えて処理することで、下りリンク側の帯域制御の連携可否を判定できる。
【００９６】
上記実施例３では、下りリンク側の帯域制御の実行中に、上りリンク側の帯域制御の連携が可能と判定された場合に、そのまま、上りリンク側の帯域制御を実行する。しかしながら、連携が可能と判定された場合、そのまま、上りリンク側の送信帯域を分割する帯域幅を下りリンク側の帯域制御で実行した同一帯域幅まで絞る必要はなく、その帯域制御に要する帯域幅を緩和するように調整した上で連携を許可するようにしても良い。
【００９７】
本実施例では、ＨｅＮＢ２Ａが一方のリンク側の帯域制御を実行し、隣接するＨｅＮＢ２Ｂ側でＨｅＮＢ２Ａ側の帯域制御の実行を認識できないような場合でも、ＨｅＮＢ２Ａが一方のリンク側の帯域制御と連携して他方のリンク側の帯域制御を実行する。そして、ＨｅＮＢ２Ｂは、他方のリンク側の送信帯域の干渉差でＨｅＮＢ２Ａ側の帯域制御の実行を認識し、リンク側の帯域制御を実行する。その結果、各ＨｅＮＢ２は、相互に帯域制御を実行することで一方のリンク側の送信帯域に関わる信号干渉を回避し、しかも、無線接続するＨＵＥ３のスループットの改善が図れる。
【００９８】
尚、上記実施例では、隣接するＨｅＮＢ２間で、上下リンクで使用する送信帯域を相互に通知する手段がないＨｅＮＢ２を例示したが、ＨｅＮＢ２に限定されるものではなく、上下リンクで使用する送信帯域を相互に通知する手段がない通信装置に適用可能である。
【００９９】
また、上記実施例は、ＦＤＤ方式を使用した上下リンクの無線方式を例示したが、時分割多重方式（TDD:Time Division Duplex）を採用した無線方式にしても適用可能である。
【０１００】
上記実施例では、例えば、下りリンク側帯域制御処理を実行する際、下りリンク側の帯域制御を実行した後、上りリンク側の帯域制御を連携して実行するようにしたが、上りリンク側の帯域制御を実行した後、下りリンク側の帯域制御を実行しても良い。また、上りリンク側の帯域制御処理を実行する際、上りリンク側の帯域制御を実行した後、下りリンク側の帯域制御を連携して実行するようにしたが、下りリンク側の帯域制御を実行した後、上りリンク側の帯域制御を実行しても良い。
【０１０１】
上記実施例のＨｅＮＢ２で実行される各種処理機能は、不揮発性記憶媒体等の各種メモリに格納されたプログラムをＨｅＮＢ２内の信号処理部１３で実行するようにしたが、ＣＰＵ１６で実行するようにしても良い。
【０１０２】
また、本実施例のＨｅＮＢ２は、無線機能及び制御機能を有する一体装置で説明したが、これに限定されるものではなく、無線装置と制御装置とを個別にしてＨｅＮＢを構成するようにしても良い。この場合、無線装置は、アンテナ１１及びＲＦ部１２を内蔵し、制御装置は、信号処理部１３、外部信号Ｉ／Ｆ１４、メモリ１５及びＣＰＵ１６を内蔵するものとする。
【０１０３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１０４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１０５】
１  フェムト無線システム
２  ＨｅＮＢ（基地局装置）
２Ａ  ＨｅＮＢ
２Ｂ  ＨｅＮＢ
３  ＨＵＥ（通信端末装置）
３１  ＣＱＩ取得部
３２  ＳＩＲ取得部
３４  品質確認部
３５  連携決定部
３６  制御部
４１  送信電力制御部
４２  帯域幅制御部
【図１】
2016005041.tif 000003
【図２】
2016005041.tif 000004
【図３】
2016005041.tif 000005
【図４】
2016005041.tif 000006
【図５】
2016005041.tif 000007
【図６】
2016005041.tif 000008
【図７】
2016005041.tif 000009
【図８】
2016005041.tif 000010
【図９】
2016005041.tif 000011
【図１０】
2016005041.tif 000012
【図１１】
2016005041.tif 000013
【図１２】
2016005041.tif 000014
【図１３】
2016005041.tif 000015
【図１４】
2016005041.tif 000016
【図１５】
2016005041.tif 000017